【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
印刷データを記憶する第１の画像形成装置と、前記印刷データが格納されている画像形成装置を特定する特定情報を記憶する第２の画像形成装置と、前記第２の画像形成装置の識別情報を記憶する第３の画像形成装置を含む印刷システムであって、
前記第１の画像形成装置は、
ユーザ識別情報を含む印刷データを所定の記憶手段に記憶させる第１の記憶制御手段と、
当該第１の画像形成装置に印刷データが格納されたことを通知するべく、当該第１の画像形成装置を特定するための特定情報と前記ユーザ識別情報を前記第２の画像形成装置に送信する画像形成装置情報送信手段と、
前記第３の画像形成装置からの一括印刷要求に従って、前記第３の画像形成装置にログインしたユーザ識別情報に対応する印刷データを前記第３の画像形成装置に送信する印刷データ送信手段と
を備え、
第２の画像形成装置は、
前記第１の画像形成装置から特定情報とユーザ識別情報を受信する画像形成装置情報受信手段と、
印刷データが格納されている画像形成装置として、前記特定情報を前記ユーザ識別情報に対応させて所定の記憶手段に記憶させる第２の記憶制御手段と、
前記第３の画像形成装置から画像形成装置の一覧要求を受け付ける画像形成装置情報要求受付手段と、
前記画像形成装置情報の要求に従って、印刷データが格納されている画像形成装置の特定情報を含む一覧を前記第３の画像形成装置に送信する画像形成装置一覧送信手段と
を備え、
前記第３の画像形成装置は、
ユーザ識別情報を用いてログインするログイン手段と、
当該第３の画像形成装置に記憶されている前記第２の画像形成装置の識別情報に従って、前記ユーザ識別情報に対応する印刷データが格納されている画像形成装置の一覧を要求する画像形成装置情報要求手段と、
前記画像形成装置の一覧要求に従って、前記第２の画像形成装置から印刷データが格納されている画像形成装置の特定情報を含む一覧を受信する画像形成装置一覧受信手段と、
前記受信した画像形成装置の特定情報を含む一覧に基づき、前記ユーザ識別情報に対応する印刷データが蓄積されている第２の画像形成装置へ一括印刷要求をする一括印刷要求手段と、
前記一括印刷要求手段による一括印刷要求に基づき送信された印刷データを印刷する印刷手段と
を備えることを特徴とする印刷システム。
【請求項２】
前記一括印刷要求手段は、前記画像形成装置の特定情報を含む一覧に対応する画像形成装置から印刷データ一覧を取得することなく、前記画像形成装置一覧受信手段により受信した画像形成装置の特定情報を含む一覧に対応する画像形成装置に対して、一括印刷の印刷要求をすることを特徴とする請求項１に記載の印刷システム。
【請求項３】
前記第１の画像形成装置は、
前記画像形成装置情報送信手段で送信した前記第２の画像形成装置を送信済みの第２の画像形成装置として送信済情報を所定の記憶手段に記憶させる送信済情報記憶制御手段を
更に備え、
前記画像形成装置情報送信手段は、印刷データを新たに受け付けた場合であっても、前記記憶手段に記憶されている送信済情報に従って、送信済みの第２の画像形成装置に当該第１の画像形成装置を特定するための特定情報の送信を抑制することを特徴とする請求項１又は２に記載の印刷システム。
【請求項４】
前記第１の画像形成装置は、
印刷データを削除又は削除状態とする印刷データ削除手段と、
印刷データ削除手段で印刷データが削除又は削除状態とされ、印刷可能な印刷データがないと判定された場合に、当該第１の画像形成装置の特定情報の削除通知を前記第２の画像形成装置に通知する削除通知手段と、
前記削除通知先となる前記第２の画像形成装置に対応する送信済情報を前記所定の記憶手段から削除する送信済情報削除手段とを更に備え、
前記第２の画像形成装置は、
前記第１の画像形成装置から前記第１の画像形成装置の特定情報の削除通知を受信する削除通知受信手段と、
前記削除通知に従って、削除通知のあった前記第１の画像形成装置の特定情報を前記所定の記憶手段から削除する画像形成装置情報削除手段と
を更に備えることを特徴とする請求項３に記載の印刷システム。
【請求項５】
前記削除通知手段は、当該第１の画像形成装置に、前記ユーザ識別情報に対応する印刷可能な印刷データがない場合に、前記ユーザ識別情報と前記第１の画像形成装置の特定情報を含む削除通知を通知し、
前記画像形成装置情報削除手段は、前記ユーザ識別情報と前記特定情報に従って、前記ユーザ識別情報に対応する前記第１の画像形成装置の特定情報を削除することを特徴とする請求項４に記載の印刷システム。
【請求項６】
画像形成装置にユーザ識別情報を含む印刷データが記憶されることで通知される画像形成装置の特定情報を、ユーザ識別情報に対応させて記憶する画像形成装置と通信可能な、前記特定情報を記憶する画像形成装置の識別情報を記憶する画像形成装置であって、
ユーザ識別情報を用いてログインするログイン手段と、
前記画像形成装置の識別情報に従って、前記ユーザ識別情報に対応する印刷データが格納されている画像形成装置の一覧を要求する画像形成装置情報要求手段と、
前記画像形成装置の一覧要求に従って、前記ユーザ識別情報の印刷データが格納先されている画像形成装置の特定情報を含む一覧を受信する画像形成装置一覧受信手段と、
前記受信した画像形成装置の特定情報を含む一覧に基づき、前記ユーザ識別情報に対応する印刷データが蓄積されている画像形成装置へ一括印刷要求をする一括印刷要求手段と、
前記一括印刷要求手段による一括印刷要求に基づき送信された印刷データを印刷する印刷手段と
を備えることを特徴とする画像形成装置。
【請求項７】
印刷データを記憶する第１の画像形成装置と、前記印刷データが格納されている画像形成装置を特定する特定情報を記憶する第２の画像形成装置と、前記第２の画像形成装置の識別情報を記憶する第３の画像形成装置を含む印刷システムの処理方法であって、
前記第１の画像形成装置が、
ユーザ識別情報を含む印刷データを所定の記憶手段に記憶させる第１の記憶制御ステップと、
当該第１の画像形成装置に印刷データが格納されたことを通知するべく、当該第１の画像形成装置を特定するための特定情報と前記ユーザ識別情報を前記第２の画像形成装置に送信する画像形成装置情報送信ステップと、
前記第３の画像形成装置からの一括印刷要求に従って、前記第３の画像形成装置にログインしたユーザ識別情報に対応する印刷データを前記第３の画像形成装置に送信する印刷データ送信ステップと
を実行し、
第２の画像形成装置が、
前記第１の画像形成装置から特定情報とユーザ識別情報を受信する画像形成装置情報受信ステップと、
印刷データが格納されている画像形成装置として、前記特定情報を前記ユーザ識別情報に対応させて所定の記憶手段に記憶させる第２の記憶制御ステップと、
前記第３の画像形成装置から画像形成装置の一覧要求を受け付ける画像形成装置情報要求受付ステップと、
前記画像形成装置情報の要求に従って、印刷データが格納されている画像形成装置の特定情報を含む一覧を前記第３の画像形成装置に送信する画像形成装置一覧送信ステップと
を実行し、
前記第３の画像形成装置が、
ユーザ識別情報を用いてログインするログインステップと、
当該第３の画像形成装置に記憶されている前記第２の画像形成装置の識別情報に従って、前記ユーザ識別情報に対応する印刷データが格納されている画像形成装置の一覧を要求する画像形成装置情報要求ステップと、
前記画像形成装置の一覧要求に従って、前記第２の画像形成装置から印刷データが格納されている画像形成装置の特定情報を含む一覧を受信する画像形成装置一覧受信ステップと、
前記受信した画像形成装置の特定情報を含む一覧に基づき、前記ユーザ識別情報に対応する印刷データが蓄積されている第２の画像形成装置へ一括印刷要求をする一括印刷要求ステップと、
前記一括印刷要求ステップによる一括印刷要求に基づき送信された印刷データを印刷する印刷ステップと
を実行することを特徴とする処理方法。
【請求項８】
画像形成装置にユーザ識別情報を含む印刷データが記憶されることで通知される画像形成装置の特定情報を、ユーザ識別情報に対応させて記憶する画像形成装置と通信可能な、前記特定情報を記憶する画像形成装置の識別情報を記憶する画像形成装置の処理方法であって、
ユーザ識別情報を用いてログインするログインステップと、
前記画像形成装置の識別情報に従って、前記ユーザ識別情報に対応する印刷データが格納されている画像形成装置の一覧を要求する画像形成装置情報要求ステップと、
前記画像形成装置の一覧要求に従って、前記ユーザ識別情報の印刷データが格納先されている画像形成装置の特定情報を含む一覧を受信する画像形成装置一覧受信ステップと、
前記受信した画像形成装置の特定情報を含む一覧に基づき、前記ユーザ識別情報に対応する印刷データが蓄積されている画像形成装置へ一括印刷要求をする一括印刷要求ステップと、
前記一括印刷要求ステップによる一括印刷要求に基づき送信された印刷データを印刷する印刷ステップと
を実行することを特徴とする処理方法。
【請求項９】
印刷データを記憶する第１の画像形成装置と、前記印刷データが格納されている画像形成装置を特定する特定情報を記憶する第２の画像形成装置と、前記第２の画像形成装置の識別情報を記憶する第３の画像形成装置を含む印刷システムのプログラムであって、
前記第１の画像形成装置を、
ユーザ識別情報を含む印刷データを所定の記憶手段に記憶させる第１の記憶制御手段と、
当該第１の画像形成装置に印刷データが格納されたことを通知するべく、当該第１の画像形成装置を特定するための特定情報と前記ユーザ識別情報を前記第２の画像形成装置に送信する画像形成装置情報送信手段と、
前記第３の画像形成装置からの一括印刷要求に従って、前記第３の画像形成装置にログインしたユーザ識別情報に対応する印刷データを前記第３の画像形成装置に送信する印刷データ送信手段として機能させ、
第２の画像形成装置を、
前記第１の画像形成装置から特定情報とユーザ識別情報を受信する画像形成装置情報受信手段と、
印刷データが格納されている画像形成装置として、前記特定情報を前記ユーザ識別情報に対応させて所定の記憶手段に記憶させる第２の記憶制御手段と、
前記第３の画像形成装置から画像形成装置の一覧要求を受け付ける画像形成装置情報要求受付手段と、
前記画像形成装置情報の要求に従って、印刷データが格納されている画像形成装置の特定情報を含む一覧を前記第３の画像形成装置に送信する画像形成装置一覧送信手段として機能させ、
前記第３の画像形成装置を、
ユーザ識別情報を用いてログインするログイン手段と、
当該第３の画像形成装置に記憶されている前記第２の画像形成装置の識別情報に従って、前記ユーザ識別情報に対応する印刷データが格納されている画像形成装置の一覧を要求する画像形成装置情報要求手段と、
前記画像形成装置の一覧要求に従って、前記第２の画像形成装置から印刷データが格納されている画像形成装置の特定情報を含む一覧を受信する画像形成装置一覧受信手段と、
前記受信した画像形成装置の特定情報を含む一覧に基づき、前記ユーザ識別情報に対応する印刷データが蓄積されている第２の画像形成装置へ一括印刷要求をする一括印刷要求手段と、
前記一括印刷要求手段による一括印刷要求に基づき送信された印刷データを印刷する印刷手段として
機能させることを特徴とするプログラム。
【請求項１０】
画像形成装置にユーザ識別情報を含む印刷データが記憶されることで通知される画像形成装置の特定情報を、ユーザ識別情報に対応させて記憶する画像形成装置と通信可能な、前記特定情報を記憶する画像形成装置の識別情報を記憶する画像形成装置のプログラムであって、
前記画像形成装置を
ユーザ識別情報を用いてログインするログイン手段と、
前記画像形成装置の識別情報に従って、前記ユーザ識別情報に対応する印刷データが格納されている画像形成装置の一覧を要求する画像形成装置情報要求手段と、
前記画像形成装置の一覧要求に従って、前記ユーザ識別情報の印刷データが格納先されている画像形成装置の特定情報を含む一覧を受信する画像形成装置一覧受信手段と、
前記受信した画像形成装置の特定情報を含む一覧に基づき、前記ユーザ識別情報に対応する印刷データが蓄積されている画像形成装置へ一括印刷要求をする一括印刷要求手段と、
前記一括印刷要求手段による一括印刷要求に基づき送信された印刷データを印刷する印刷手段として
機能させることを特徴とするプログラム。
【手続補正２】
【補正対象書類名】明細書
【補正対象項目名】００１１
【補正方法】変更
【補正の内容】
【００１１】
そこで、本発明の目的は、印刷データを格納した画像形成装置の一覧を管理し、この一覧に従って画像形成装置に印刷要求することで、画像形成装置に溜め置いた印刷データを所望の画像形成装置から印刷させる際の負荷を軽減させる仕組みを提供することである。
【手続補正３】
【補正対象書類名】明細書
【補正対象項目名】００１２
【補正方法】変更
【補正の内容】
【００１２】
本発明の目的を達成するために、印刷データを記憶する第１の画像形成装置と、前記印刷データが格納されている画像形成装置を特定する特定情報を記憶する第２の画像形成装置と、前記第２の画像形成装置の識別情報を記憶する第３の画像形成装置を含む印刷システムであって、前記第１の画像形成装置は、ユーザ識別情報を含む印刷データを所定の記憶手段に記憶させる第１の記憶制御手段と、当該第１の画像形成装置に印刷データが格納されたことを通知するべく、当該第１の画像形成装置を特定するための特定情報と前記ユーザ識別情報を前記第２の画像形成装置に送信する画像形成装置情報送信手段と、前記第３の画像形成装置からの一括印刷要求に従って、前記第３の画像形成装置にログインしたユーザ識別情報に対応する印刷データを前記第３の画像形成装置に送信する印刷データ送信手段とを備え、第２の画像形成装置は、前記第１の画像形成装置から特定情報とユーザ識別情報を受信する画像形成装置情報受信手段と、印刷データが格納されている画像形成装置として、前記特定情報を前記ユーザ識別情報に対応させて所定の記憶手段に記憶させる第２の記憶制御手段と、前記第３の画像形成装置から画像形成装置の一覧要求を受け付ける画像形成装置情報要求受付手段と、前記画像形成装置情報の要求に従って、印刷データが格納されている画像形成装置の特定情報を含む一覧を前記第３の画像形成装置に送信する画像形成装置一覧送信手段とを備え、前記第３の画像形成装置は、ユーザ識別情報を用いてログインするログイン手段と、当該第３の画像形成装置に記憶されている前記第２の画像形成装置の識別情報に従って、前記ユーザ識別情報に対応する印刷データが格納されている画像形成装置の一覧を要求する画像形成装置情報要求手段と、前記画像形成装置の一覧要求に従って、前記第２の画像形成装置から印刷データが格納されている画像形成装置の特定情報を含む一覧を受信する画像形成装置一覧受信手段と、前記受信した画像形成装置の特定情報を含む一覧に基づき、前記ユーザ識別情報に対応する印刷データが蓄積されている第２の画像形成装置へ一括印刷要求をする一括印刷要求手段と、前記一括印刷要求手段による一括印刷要求に基づき送信された印刷データを印刷する印刷手段とを備えることを特徴とする
【手続補正４】
【補正対象書類名】明細書
【補正対象項目名】００１３
【補正方法】変更
【補正の内容】
【００１３】
また、前記一括印刷要求手段は、前記画像形成装置の特定情報を含む一覧に対応する画像形成装置から印刷データ一覧を取得することなく、前記画像形成装置一覧受信手段により受信した画像形成装置の特定情報を含む一覧に対応する画像形成装置に対して、一括印刷の印刷要求をすることを特徴とする。
【手続補正５】
【補正対象書類名】明細書
【補正対象項目名】００１４
【補正方法】変更
【補正の内容】
【００１４】
また、前記第１の画像形成装置は、前記画像形成装置情報送信手段で送信した前記第２の画像形成装置を送信済みの第２の画像形成装置として送信済情報を所定の記憶手段に記憶させる送信済情報記憶制御手段を更に備え、前記画像形成装置情報送信手段は、印刷データを新たに受け付けた場合であっても、前記記憶手段に記憶されている送信済情報に従って、送信済みの第２の画像形成装置に当該第１の画像形成装置を特定するための特定情報の送信を抑制することを特徴とする。
【手続補正６】
【補正対象書類名】明細書
【補正対象項目名】００１５
【補正方法】変更
【補正の内容】
【００１５】
また、前記第１の画像形成装置は、印刷データを削除又は削除状態とする印刷データ削除手段と、印刷データ削除手段で印刷データが削除又は削除状態とされ、印刷可能な印刷データがないと判定された場合に、当該第１の画像形成装置の特定情報の削除通知を前記第２の画像形成装置に通知する削除通知手段と、前記削除通知先となる前記第２の画像形成装置に対応する送信済情報を前記所定の記憶手段から削除する送信済情報削除手段とを更に備え、前記第２の画像形成装置は、前記第１の画像形成装置から前記第１の画像形成装置の特定情報の削除通知を受信する削除通知受信手段と、前記削除通知に従って、削除通知のあった前記第１の画像形成装置の特定情報を前記所定の記憶手段から削除する画像形成装置情報削除手段とを更に備えることを特徴とする。
【手続補正７】
【補正対象書類名】明細書
【補正対象項目名】００１６
【補正方法】変更
【補正の内容】
【００１６】
また、前記削除通知手段は、当該第１の画像形成装置に、前記ユーザ識別情報に対応する印刷可能な印刷データがない場合に、前記ユーザ識別情報と前記第１の画像形成装置の特定情報を含む削除通知を通知し、前記画像形成装置情報削除手段は、前記ユーザ識別情報と前記特定情報に従って、前記ユーザ識別情報に対応する前記第１の画像形成装置の特定情報を削除することを特徴とする。
【手続補正８】
【補正対象書類名】明細書
【補正対象項目名】００１７
【補正方法】変更
【補正の内容】
【００１７】
また、本発明の目的を達成するために、画像形成装置にユーザ識別情報を含む印刷データが記憶されることで通知される画像形成装置の特定情報を、ユーザ識別情報に対応させて記憶する画像形成装置と通信可能な、前記特定情報を記憶する画像形成装置の識別情報を記憶する画像形成装置であって、ユーザ識別情報を用いてログインするログイン手段と、前記画像形成装置の識別情報に従って、前記ユーザ識別情報に対応する印刷データが格納されている画像形成装置の一覧を要求する画像形成装置情報要求手段と、前記画像形成装置の一覧要求に従って、前記ユーザ識別情報の印刷データが格納先されている画像形成装置の特定情報を含む一覧を受信する画像形成装置一覧受信手段と、前記受信した画像形成装置の特定情報を含む一覧に基づき、前記ユーザ識別情報に対応する印刷データが蓄積されている画像形成装置へ一括印刷要求をする一括印刷要求手段と、前記一括印刷要求手段による一括印刷要求に基づき送信された印刷データを印刷する印刷手段とを備えることを特徴とする。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
本発明によれば、印刷データを格納した画像形成装置の一覧を管理し、この一覧に従って画像形成装置に印刷要求することで、画像形成装置に溜め置いた印刷データを所望の画像形成装置から印刷させる際の負荷を軽減させることが可能となる。